(57)【要約】【課題】本発明は、係合部の係合力が低下し難く、装着した動物の胴体から外れ難い、動物用の吸収性物品を提供するものである。【解決手段】本発明の動物用の吸収性物品（１）は、厚さ方向において、第１面（Ｓ１）を形成する不織布（３）と、第２面（Ｓ２）を形成する不織布（２）と、を有するとともに、平面視にて、長手方向における一方側端縁（１１）及び他方側端縁（１２）の間に、第１領域（Ａ１）、中央領域（ＡＣ）及び第２領域（Ａ２）を有し、さらに、第１領域（Ａ１）の第１面（Ｓ１）において幅方向に延在する係合部（６）と、平面視にて、係合部周辺領域（ＡＰ、ＡＱ）に対して少なくとも部分的に重複し且つ第１面（Ｓ１）から厚さ方向に窪む１又は複数の圧搾部（７１）を有する圧搾部形成領域（７）と、を備えていて、第１領域（Ａ１）は、第２領域（Ａ２）における圧搾部面積率よりも大きい圧搾部面積率を有する。【選択図】図１
2020000182.tif 000002
【特許請求の範囲】
【請求項１】
互いに直交する長手方向、幅方向及び厚さ方向を有するとともに、前記厚さ方向において、第１面及び前記第１面とは反対側の第２面を有し、前記長手方向が動物の胴周りに沿うように装着される動物用の吸収性物品であって、
前記吸収性物品は、前記厚さ方向において、前記第１面を形成する不織布と、前記第２面を形成する不織布と、を有するとともに、平面視にて、前記長手方向における一方側端縁及び他方側端縁の間に、前記吸収性物品を前記長手方向に３等分する第１領域、中央領域及び第２領域を有しており、
さらに、前記吸収性物品は、
前記第１領域の前記第１面において前記幅方向に延在し且つ前記第２領域の前記第２面に対して着脱自在に係合する係合部と、
平面視にて、前記係合部からの長手方向距離が前記係合部の長手方向長さ以下となる係合部周辺領域に対して少なくとも部分的に重複し且つ前記第１面から前記厚さ方向に窪む１又は複数の圧搾部を有する圧搾部形成領域と、を備えていて、
前記第１領域は、前記第２領域における圧搾部面積率よりも大きい圧搾部面積率を有する、
前記吸収性物品。
【請求項２】
前記圧搾部形成領域が、前記係合部の幅方向長さよりも長い幅方向長さを有する、請求項１に記載の吸収性物品。
【請求項３】
前記圧搾部形成領域が、前記長手方向において、前記係合部の前記長手方向における一方側端縁から前記吸収性物品の前記長手方向における一方側端縁まで延在する、請求項１又は２に記載の吸収性物品。
【請求項４】
前記圧搾部形成領域が、前記長手方向において、前記係合部の前記長手方向における一方側端縁から前記長手方向の外方側に向かって延在し且つ前記係合部の長手方向長さよりも長い長手方向長さを有する、請求項１〜３のいずれか一項に記載の吸収性物品。
【請求項５】
前記圧搾部形成領域が、前記長手方向において、前記係合部の前記長手方向における他方側端縁から前記長手方向の内方側に向かって延在し且つ前記係合部の長手方向長さよりも長い長手方向長さを有する、請求項１〜４のいずれか一項に記載の吸収性物品。
【請求項６】
前記吸収性物品は、前記第１面を形成する不織布及び前記第２面を形成する不織布の間に配置された液不透過性部材と、
少なくとも前記液不透過性部材の第１面側の表面と前記第１面を形成する不織布の第２面側の表面とを接合する接合部と、を更に備えていて、
前記接合部は、前記圧搾部形成領域において、前記圧搾部と平面視にて重ならない非重複部分を有する、
請求項１〜５のいずれか一項に記載の吸収性物品。
【請求項７】
前記吸収性物品は、平面視にて前記幅方向に延びる長手方向中央軸線と重複し、前記吸収性物品を前記第２面が内側となるように折り畳むための、前記幅方向に延びる第１折線と、
平面視にて、前記吸収性物品の前記長手方向における一方側端縁と前記第１折線との間、及び、前記吸収性物品の前記長手方向における他方側端縁と前記第１折線との間のそれぞれに位置し、前記第１折線で折り畳まれた前記吸収性物品を前記係合部が内側となるように折り畳むための、前記幅方向に延びる２本の第２折線と、を有していて、
前記吸収性物品は、前記吸収性物品の前記長手方向における一方側端縁と前記第１折線との間に位置する前記第２折線を対象軸として、前記係合部と線対称の関係にある領域の前記第１面に、前記第１面から前記厚さ方向に窪む１又は複数の圧搾部を有する内方側圧搾部形成領域を更に有する、
請求項１〜６のいずれか一項に記載の吸収性物品。
【発明の詳細な説明】
【技術分野】
【０００１】
本発明は、犬や猫などの動物に用いられる、使い捨ておむつ等の動物用の吸収性物品に関する。
【背景技術】
【０００２】
犬や猫などの動物が排泄した尿等の排泄物を処理するための動物用吸収性物品として、動物の胴周りに巻きつけて装着される帯状の動物用吸収性物品が知られている。
【０００３】
そのような帯状の動物用吸収性物品として、例えば、特許文献１には、動物の胴周りに巻きつけられた状態で、長手方向の第１端部の表面層側が動物の身体側に対向して配置されるとともに、長手方向の第２端部の表面層側が前記第１端部の裏面層側に着脱可能に取り付けられるペット用吸収性物品であって、前記第１端部の前記裏面層側に配置されて矩形形状に構成されるとともに、長手方向が前記ペット用吸収性物品の幅方向に沿って延びる係止部材と、前記第１端部に形成され、該第１端部における前記一対の側部側が表面層側に屈曲する起点となる一対の折線部と、を備えたペット用吸収性物品が開示されている。
【先行技術文献】
【特許文献】
【０００４】
【特許文献１】特開２０１２−２０５５７８号公報
【発明の概要】
【発明が解決しようとする課題】
【０００５】
しかしながら、この特許文献１に開示されたペット用吸収性物品のように、長手方向の一方側端部領域の裏面層上に係合部材（係合部）を備えた動物用の吸収性物品は（図１３を参照）、裏面層が不織布などの柔らかくて係合し易い材料によって形成されていると、当該吸収性物品の製造乃至搬送過程や当該吸収性物品を装着する際などに、長手方向の一方側端部領域の一部（具体的には、吸収性物品の長手方向における一方側端縁と係合部との間のフラップ部や係合部よりも長手方向の内方側の部分（以下、これらの部分を総称して単に「フラップ部等」ということがある。））が図１４（ａ）や図１４（ｂ）に示すように裏面層側へ折れ曲がって、当該領域の裏面層側の表面（すなわち、裏面層を形成する不織布の表面）が上述の係合部と係合し、当該係合部に貼り付いてしまうことがあった。
このようにフラップ部等が係合部に貼り付いてしまうと、吸収性物品を動物の胴体に装着する際に、係合部に貼り付いたフラップ部等を係合部から引き剥がす必要があるが、フラップ部等を引き剥がした後の係合部には、裏面層を形成する不織布の構成繊維が残存するため、係合部の係合力（接合強度）が低下して、動物の胴体に装着した吸収性物品が外れ易くなってしまう虞があった。
【０００６】
そこで、本発明は、係合部の係合力が低下し難く、装着した動物の胴体から外れ難い、動物用の吸収性物品を提供することを目的とする。
【課題を解決するための手段】
【０００７】
本発明の一態様（態様１）は、互いに直交する長手方向、幅方向及び厚さ方向を有するとともに、前記厚さ方向において、第１面及び前記第１面とは反対側の第２面を有し、前記長手方向が動物の胴周りに沿うように装着される動物用の吸収性物品であって、
前記吸収性物品は、前記厚さ方向において、前記第１面を形成する不織布と、前記第２面を形成する不織布と、を有するとともに、平面視にて、前記長手方向における一方側端縁及び他方側端縁の間に、前記吸収性物品を前記長手方向に３等分する第１領域、中央領域及び第２領域を有しており、
さらに、前記吸収性物品は、
前記第１領域の前記第１面において前記幅方向に延在し且つ前記第２領域の前記第２面に対して着脱自在に係合する係合部と、
平面視にて、前記係合部からの長手方向距離が前記係合部の長手方向長さ以下となる係合部周辺領域に対して少なくとも部分的に重複し且つ前記第１面から前記厚さ方向に窪む１又は複数の圧搾部を有する圧搾部形成領域と、を備えていて、
前記第１領域は、前記第２領域における圧搾部面積率よりも大きい圧搾部面積率を有する、前記吸収性物品である。
【０００８】
本態様１の動物用の吸収性物品は、上記第１領域の係合部周辺領域に１又は複数の圧搾部を有していて、当該係合部周辺領域が剛性の高い圧搾部によって折れ曲がり難くなっているため、上述のフラップ部等が係合部へ貼り付くのを生じ難くすることができ、結果的に係合部の係合力を低下し難くすることができる。
また、仮に上記係合部周辺領域が第１面側に折れ曲がって、フラップ部等が係合部に貼り付いたとしても、圧搾部の第１面側の表面が、当該第１面を形成する不織布の構成繊維が押し固められて繊維密度が高く且つ平滑な面になっているため、係合部に貼り付いたフラップ部等が係合部から剥がれ易く、さらに、フラップ部等が係合部から剥がれる際も、フラップ部等の貼り付き面（第１面）を形成する不織布の構成繊維が抜け落ち難くなっており（すなわち、フラップ部等を引き剥がした後の係合部に、フラップ部等の第１面を形成する不織布の構成繊維が残存し難くなっており）、結果的に係合部の係合力が低下し難くなっている。
さらに、本態様１の動物用の吸収性物品は、第１領域における圧搾部面積率が前記第２領域における圧搾部面積率よりも大きくなるように構成されていて、第２領域が、相対的に剛性が低く、柔軟であるため、動物の胴体形状に追従しつつ、上記第１領域の係合部と高い接合強度で係合することができる。
以上より、本態様１の動物用の吸収性物品は、係合部の係合力が低下し難く、装着した動物の胴体から外れ難くなっている。
【０００９】
また、本発明の別の態様（態様２）では、上記態様１の動物用の吸収性物品において、前記圧搾部形成領域が、前記係合部の幅方向長さよりも長い幅方向長さを有する。
【００１０】
本態様２の動物用の吸収性物品は、圧搾部形成領域が係合部の幅方向長さよりも長い幅方向長さを有しているため、フラップ部等の幅方向におけるより広範囲の領域を折れ曲がり難くすることができる上、仮にフラップ部等が折れ曲がったとしても（特に、吸収性物品の幅方向の端部も折れ曲がるような場合でも）、折れ曲がったフラップ部等が係合部に貼り付く可能性をより低減することができる。
以上より、本態様２の動物用の吸収性物品は、係合部の係合力がより低下し難く、装着した動物の胴体からより外れ難くすることができる。
【００１１】
本発明の更に別の態様（態様３）では、上記態様１又は２の動物用の吸収性物品において、前記圧搾部形成領域が、前記長手方向において、前記係合部の前記長手方向における一方側端縁から前記吸収性物品の前記長手方向における一方側端縁まで延在する。
【００１２】
本態様３の動物用の吸収性物品は、圧搾部形成領域が、長手方向において、係合部の長手方向における一方側端縁から吸収性物品の長手方向における一方側端縁まで、すなわちフラップ部全体に延在しているため、特にフラップ部の折れ曲がりを生じ難くすることができる上、仮にフラップ部が折れ曲がったとしても、その折れ曲がり方によらず、折れ曲がったフラップ部が係合部に貼り付く可能性を、より確実に低減することができる。
【００１３】
本発明の更に別の態様（態様４）では、上記態様１〜３のいずれかの動物用の吸収性物品において、前記圧搾部形成領域が、前記長手方向において、前記係合部の前記長手方向における一方側端縁から前記長手方向の外方側に向かって延在し且つ前記係合部の長手方向長さよりも長い長手方向長さを有する。
【００１４】
本態様４の動物用の吸収性物品は、圧搾部形成領域が、長手方向において、係合部の長手方向における一方側端縁から長手方向の外方側に向かって延在し且つ係合部の長手方向長さよりも長い長手方向長さを有しているため、特にフラップ部が長手方向に長く形成されているような場合でも、フラップ部の係合部への貼り付きに影響する部分の折れ曲がりを生じ難くすることができる上、仮にフラップ部が折れ曲がったとしても、折れ曲がったフラップ部が係合部に貼り付く可能性をより確実に低減することができる。
また、本態様４の動物用の吸収性物品は、圧搾部形成領域が、長手方向において、係合部の長手方向における一方側端縁から長手方向の外方側に向かって延在し且つ係合部の長手方向長さよりも長い長手方向長さを有している、すなわち、フラップ部が、係合部の長手方向長さよりも長い長手方向長さを有しているため、フラップ部が係合部に貼り付いたときに、フラップ部における係合部の長手方向長さより長い部分を掴み部として、当該掴み部を掴んでフラップ部を容易に引き剥がすことができ、動物用の吸収性物品を動物の胴体に装着する際の手間を掛かり難くすることができるという利点もある。
【００１５】
本発明の更に別の態様（態様５）では、上記態様１〜４のいずれかの動物用の吸収性物品において、前記圧搾部形成領域が、前記長手方向において、前記係合部の前記長手方向における他方側端縁から前記長手方向の内方側に向かって延在し且つ前記係合部の長手方向長さよりも長い長手方向長さを有する。
【００１６】
本態様５の動物用の吸収性物品は、圧搾部形成領域が、長手方向において、係合部の長手方向における他方側端縁から長手方向の内方側に向かって延在し且つ係合部の長手方向長さよりも長い長手方向長さを有しているため、特に係合部よりも長手方向の内方側の部分における、係合部への貼り付きに影響する部分の折れ曲がりを生じ難くすることができる上、仮に係合部よりも長手方向の内方側の部分が折れ曲がったとしても、折れ曲がった部分が係合部に貼り付く可能性をより確実に低減することができる。
【００１７】
本発明の更に別の態様（態様６）では、上記態様１〜５のいずれかの動物用の吸収性物品において、
前記吸収性物品は、前記第１面を形成する不織布及び前記第２面を形成する不織布の間に配置された液不透過性部材と、
少なくとも前記液不透過性部材の第１面側の表面と前記第１面を形成する不織布の第２面側の表面とを接合する接合部と、を更に備えていて、
前記接合部は、前記圧搾部形成領域において、前記圧搾部と平面視にて重ならない非重複部分を有する。
【００１８】
本態様６の動物用の吸収性物品は、液不透過性部材の第１面側の表面と第１面を形成する不織布の第２面側の表面とを接合する接合部が、上述の圧搾部形成領域において、圧搾部と平面視にて重ならない非重複部分を有しているため、圧搾部形成領域内の隣接する圧搾部の間において、第１面を形成する不織布を浮き上がり難くすることができる。これにより、上述のフラップ部等が折れ曲がって、圧搾部形成領域が係合部に近接したとしても、上述の圧搾部だけでなく、非重複部分も上記係合部と接触し難くなるため、圧搾部形成領域が係合部に貼り付く可能性をより低減することができる。
【００１９】
本発明の更に別の態様（態様７）では、上記態様１〜６のいずれかの動物用の吸収性物品において、
前記吸収性物品は、平面視にて前記幅方向に延びる長手方向中央軸線と重複し、前記吸収性物品を前記第２面が内側となるように折り畳むための、前記幅方向に延びる第１折線と、
平面視にて、前記吸収性物品の前記長手方向における一方側端縁と前記第１折線との間、及び、前記吸収性物品の前記長手方向における他方側端縁と前記第１折線との間のそれぞれに位置し、前記第１折線で折り畳まれた前記吸収性物品を前記係合部が内側となるように折り畳むための、前記幅方向に延びる２本の第２折線と、を有していて、
前記吸収性物品は、前記吸収性物品の前記長手方向における一方側端縁と前記第１折線との間に位置する前記第２折線を対象軸として、前記係合部と線対称の関係にある領域の前記第１面に、前記第１面から前記厚さ方向に窪む１又は複数の圧搾部を有する内方側圧搾部形成領域を更に有する。
【００２０】
本態様７の動物用の吸収性物品は、上記第２折線を対象軸として、係合部と線対称の関係にある領域の第１面に、当該第１面から厚さ方向に窪む１又は複数の圧搾部を有する内方側圧搾部形成領域を更に有しているため、複数の吸収性物品を第１折線及び第２折線で折り畳んでパッケージ化しても、折り畳まれた吸収性物品内において、上述の係合部が内方側圧搾部形成領域と係合し難く、かかる係合部の係合力が低下し難くなっている。
【発明の効果】
【００２１】
本発明によれば、係合部の係合力が低下し難く、装着した動物の胴体から外れ難い、動物用の吸収性物品を提供することができる。
【図面の簡単な説明】
【００２２】
【図１】図１は、本発明の第１実施形態に係るペット用おむつ１の斜視図である。
【図２】図２は、ペット用おむつ１を展開した状態で第１面側（裏面シート側）から厚さ方向Ｔに見た平面図である。
【図３】図３は、ペット用おむつ１を展開した状態で第２面側（表面シート側）から厚さ方向Ｔに見た平面図である。
【図４】図４は、ペット用おむつ１の幅方向Ｗに延びる長手方向中央軸線Ｃｗに沿った幅方向断面の端面図である。
【図５】図５は、ペット用おむつ１の長手方向Ｌに延びる幅方向中央軸線ＣＬに沿った長手方向断面の端面図である。
【図６】図６は、ペット用おむつ１を展開した状態で第１面側から厚さ方向Ｔに見た要部拡大平面図である。
【図７】図７は、ペット用おむつ１を雄犬に装着した状態を示す模式図である。
【図８】図８は、本発明の第２実施形態に係るペット用おむつ１Ａを展開した状態で第１面側から厚さ方向Ｔに見た平面図である。
【図９】図９は、本発明の第３実施形態に係るペット用おむつ１Ｂを展開した状態で第１面側から厚さ方向Ｔに見た平面図である。
【図１０】図１０は、本発明の第４実施形態に係るペット用おむつ１Ｃを展開した状態で第１面側から厚さ方向Ｔに見た要部拡大平面図である。
【図１１】図１１は、本発明の第５実施形態に係るペット用おむつ１Ｄを展開した状態で第１面側から厚さ方向Ｔに見た平面図である。
【図１２】図１２（ａ）は、ペット用おむつ１Ｄを第２面Ｓ２が内側となるように第１折線Ｆ１で折り畳んだ状態を示す斜視図であり、図１２（ｂ）は、第１折線Ｆ１で折り畳んだペット用おむつ１Ｄを係合部６が内側となるように第２折線Ｆ２で更に折り畳んだ状態を示す斜視図である。
【図１３】図１３は、従来のペット用おむつ１’の斜視図である。
【図１４】図１４（ａ）は、従来のペット用おむつ１’のフラップ部Ｐ’が裏面層側へ折れ曲がって、係合部６’に貼り付いた様子を示す斜視図であり、図１４（ｂ）は、従来のペット用おむつ１’の係合部６’よりも長手方向Ｌの内方側の部分Ｑ’が裏面層側へ折れ曲がって、係合部６’に貼り付いた様子を示す斜視図である。
【発明を実施するための形態】
【００２３】
以下、本発明の動物用の吸収性物品の好適な実施形態について、図面を参照しながら詳細に説明する。なお、本明細書においては、特に断りのない限り、「展開した状態で水平面上に置いた対象物（例えば、動物用の吸収性物品、吸収体等）を、垂直方向の上方側から対象物の厚さ方向に見ること」を「平面視」という。特に、対象物が動物用の吸収性物品の場合は、吸収性物品を展開した状態で第１面側から厚さ方向に見ることを、単に「平面視」ということがある。
【００２４】
本明細書において用いられる各種方向等については、特に断りのない限り、以下のとおりである。
本明細書において、「長手方向」は「平面視における動物用の吸収性物品の長さの長い方向」を指し、「幅方向」は「平面視における動物用の吸収性物品の長さの短い方向（短手方向）」を指し、「厚さ方向」は「展開した状態で水平面上に置いた動物用の吸収性物品に対して垂直方向」を指す。これらの長手方向、幅方向及び厚さ方向は、それぞれ互いに直交する関係にある。
さらに、本明細書では、特に断りのない限り、「動物用の吸収性物品の長手方向において、幅方向に延びる長手方向中央軸線ＣＷに対して相対的に近位側」を「長手方向の内方側」といい、「動物用の吸収性物品の長手方向において、幅方向に延びる長手方向中央軸線ＣＷに対して相対的に遠位側」を「長手方向の外方側」という。同様に、「動物用の吸収性物品の幅方向において、長手方向に延びる幅方向中央軸線ＣＬに対して相対的に近位側」を「幅方向の内方側」といい、「動物用の吸収性物品の幅方向において、長手方向に延びる幅方向中央軸線ＣＬに対して相対的に遠位側」を「幅方向の外方側」という。
また、本明細書では、特に断りのない限り、「動物用の吸収性物品の厚さ方向において、当該吸収性物品を動物の胴体に装着したときに、動物の胴体に対して相対的に近位側」を「胴体対向面側」といい、「動物用の吸収性物品の厚さ方向において、当該吸収性物品を動物の胴体に装着したときに、動物の胴体に対して相対的に遠位側」を「胴体非対向面側」という。なお、本明細書においては、動物用の吸収性物品及びその構成部材（例えば、表面シート、吸収体、バックフィルム、裏面シート等）の「胴体対向面側の表面」及び「胴体非対向面側の表面」を、それぞれ単に「胴体対向面」及び「胴体非対向面」ということがある。
【００２５】
＜第１実施形態＞
図１は、本発明の第１実施形態に係るペット用おむつ１の斜視図であり、図２は、ペット用おむつ１を展開した状態で第１面側（裏面シート側）から厚さ方向Ｔに見た平面図であり、図３は、ペット用おむつ１を展開した状態で第２面側（表面シート側）から厚さ方向Ｔに見た平面図である。また、図４は、ペット用おむつ１の幅方向Ｗに延びる長手方向中央軸線ＣＷに沿った幅方向断面の端面図であり、図５は、ペット用おむつ１の長手方向Ｌに延びる幅方向中央軸線ＣＬに沿った長手方向断面の端面図である。さらに、図６は、ペット用おむつ１を展開した状態で第１面側から厚さ方向Ｔに見た要部拡大平面図である。
【００２６】
本発明の第１実施形態に係る使い捨てのペット用おむつ１（本発明における「動物用の吸収性物品」の一例である。）は、図１〜図３に示すように、平面視にて、長手方向Ｌ及び幅方向Ｗを有する縦長の矩形状の外形形状を有しており、長手方向Ｌが犬などの動物の背部及び腹部を含む胴周りの方向（胴周り方向）に対応するようにして、動物の胴周りに沿って巻き付けられるように構成されている。なお、本第１実施形態のペット用おむつ１においては、図２に示すように、矩形状の外形形状の外縁として、長手方向Ｌの一方側端縁１１と、長手方向Ｌの他方側端縁１２と、幅方向Ｗの一方側端縁１３と、幅方向Ｗの他方側端縁１４と、を有している。
また、本発明において、動物用の吸収性物品の外形形状や各種寸法等は、本発明の効果を阻害せず且つ装着対象動物の胴体周り長さよりも長い長手方向長さを有する長形状のものであれば、動物の種類や体形、サイズ等に応じた任意の縦長の外形形状（例えば、長方形、楕円形、砂時計形等）や各種寸法等を採用することができる。
【００２７】
上述の第１実施形態のペット用おむつ１は、図１〜図５に示すように、厚さ方向Ｔにおいて、ペット（動物）の胴体に装着したときに胴体非対向面となる第１面Ｓ１と、胴体対向面となる第２面Ｓ２と、を有するとともに、第２面Ｓ２を形成する不織布からなる表面シート２と、第１面Ｓ１を形成する不織布からなる裏面シート３と、これら各シートの間に配置された吸水性部材からなる吸収体４とを、おむつの基本構成として備えていて、動物から排泄された尿などの液状排泄物を、表面シート２を介して厚さ方向Ｔに浸透させながら吸収体４にて吸収及び保持することができるように構成されている。
また、このペット用おむつ１は、図２及び図３に示すように、平面視にて、長手方向Ｌにおける一方側端縁１１及び他方側端縁１２の間に、ペット用おむつ１を長手方向Ｌに３等分する第１領域Ａ１、中央領域ＡＣ及び第２領域Ａ２を有していて、上述の表面シート２及び裏面シート３は、長手方向Ｌの一方側端縁１１から他方側端縁１２にわたって延在する一方、吸収体４は、第１領域Ａ１の一部から第２領域Ａ２の一部にわたって延在している。なお、本明細書において、「吸収性物品を長手方向に３等分する」とは、当該吸収性物品の長手方向に延びる幅方向中央軸線ＣＬにおける、長手方向の一方側端縁及び他方側端縁の間の長さを３等分することを意味する。
【００２８】
また、本明細書において、動物用の吸収性物品の長手方向における一方側端縁及び他方側端縁は、動物用の吸収性物品の長手方向において最も外方側に位置する一方側の縁及び他方側の縁を意味し、動物用の吸収性物品の幅方向における一方側端縁及び他方側端縁も同様である。
これに関連し、本明細書において、動物用の吸収性物品の長手方向における一方側端部及び他方側端部は、動物用の吸収性物品の長手方向における一方側端縁及び他方側端縁を含んでそれぞれ長手方向の内方側に延在し且つ各端縁からの長手方向長さが長手方向全長（この長手方向全長を１００％とする。）の３３％以内となる領域として画定される部分を意味し、動物用の吸収性物品の幅方向における一方側端部及び他方側端部も同様である。
なお、これらの各種方向における一方側端縁及び他方側端縁、並びに一方側端部及び他方側端部は、動物用の吸収性物品を構成する各種部材や各種領域等（例えば、表面シート、吸収体、裏面シート、係合部、圧搾部形成領域等）においても同様に適用される。
さらに、本明細書においては、動物用の吸収性物品を構成する各種部材や各種領域等の各種方向における「一方側」及び「他方側」についても、動物用の吸収性物品の各種方向における「一方側」及び「他方側」と対応するように用いられる。
【００２９】
上述の第１実施形態のペット用おむつ１は、図３〜図５に示すように、吸収体４と裏面シート３との間に配置されたバックフィルム３１と、表面シート２の第２面側Ｄ２においてペット用おむつ１の幅方向Ｗの両端部にそれぞれ配置された、長手方向Ｌに延在する一対のサイドシート５、５と、上述の第１領域Ａ１の第１面Ｓ１において幅方向Ｗに延在するように配置され且つ上述の第２領域Ａ２の第２面Ｓ２に対して着脱自在に係合し得る係合部６とを備えており、ペット用おむつ１を動物の胴体に着実に装着できるようにして、動物から排泄される尿などの液状排泄物が外部に漏出しないように構成されている。
【００３０】
なお、上述の係合部６は、図５に示すように、裏面シート３の第１面側Ｄ１の表面（すなわち、ペット用おむつ１の第１面Ｓ１）に接合された帯状の基部６ｂと、該基部６ｂから突出する複数のフック部６ｆとからなるメカニカルファスナーによって構成されており、ペット用おむつ１を動物の腹部側から胴周りに沿わせて装着するときに、動物の背部側において、不織布からなる表面シート２の第２面側Ｄ２の表面（すなわち、ペット用おむつ１の第２面Ｓ２）の任意の部分に上述のフック部６ｆを係合させることができる。このような係合部６を備えていることによって、ペット用おむつ１は、動物の胴体の適切な位置において、動物の胴周り寸法に合わせて的確に装着することができる。
【００３１】
なお、本第１実施形態のペット用おむつ１は、図１〜図４に示すように、ペット用おむつ１の幅方向Ｗの両端部においてそれぞれ上述の一対のサイドシート５、５と裏面シート３との間に配置された、長手方向Ｌに延在する一対の側部ギャザー形成用弾性部材８１、８１と、一対のサイドシート５、５の幅方向Ｗの内方側の端部にそれぞれ配置された、長手方向Ｌに延在する一対の立体ギャザー形成用弾性部材８２、８２とを更に備えていて、ペット用おむつ１全体に長手方向Ｌの所定の伸縮性が付与されているため、かかるペット用おむつ１を動物の胴体に装着する際に、ペット用おむつ１が動物の胴周り方向（すなわち、平面視における長手方向Ｌ）に収縮して、動物の体形等に合わせて密着し易くなっている。さらに、動物の胴体に装着されたペット用おむつ１は、上述の各弾性部材の作用によって、動物の呼吸等の動作に伴う胴周り寸法の変化などに合せて、動物の胴周り方向に伸縮可能であるため、ペット用おむつ１が動物の胴体に密着した状態を長時間にわたって維持し易くなっている。
【００３２】
そして、本第１実施形態のペット用おむつ１は、図１、図２、図５及び図６に示すように、平面視にて、上述の係合部６に対して長手方向Ｌの外方側（すなわち、フラップ部Ｐ）に位置し且つ係合部６からの長手方向距離ＤＰが係合部６の長手方向長さＤ６以下となる、長手方向Ｌの外方側の係合部周辺領域ＡＰと重複し且つペット用おむつ１の第１面Ｓ１から厚さ方向Ｔに窪む複数の圧搾部７１を有する圧搾部形成領域７を備えており、さらに、上述の第１領域Ａ１は、第２領域Ａ２における圧搾部面積率よりも大きい圧搾部面積率を有している。なお、本第１実施形態のペット用おむつ１においては、第２領域Ａ２に圧搾部が形成されていないため、当該第２領域Ａ２における圧搾部面積率は０％である。
【００３３】
このように本第１実施形態のペット用おむつ１は、第１領域Ａ１の係合部周辺領域ＡＰに複数の圧搾部７１を有していて、当該係合部周辺領域ＡＰが剛性の高い圧搾部７１によって折れ曲がり難くなっているため、上述のフラップ部Ｐが係合部６へ貼り付くのを生じ難くすることができ（すなわち、従来の動物用の吸収性物品における、図１４（ａ）に示すような事象を生じ難くすることができ）、結果的に係合部６の係合力を低下し難くすることができる。
また、仮に上記係合部周辺領域ＡＰが第１面側Ｄ１に折れ曲がって、フラップ部Ｐが係合部６に貼り付いたとしても、圧搾部７１の第１面側Ｄ１の表面が、第１面Ｓ１を形成する不織布（裏面シート３）の構成繊維が押し固められて繊維密度が高く且つ平滑な面になっているため、係合部６に貼り付いたフラップ部Ｐが係合部６から剥がれ易く、さらに、フラップ部Ｐが係合部６から剥がれる際も、フラップ部Ｐの貼り付き面（すなわち、第１面Ｓ１）を形成する不織布の構成繊維が抜け落ち難くなっており（すなわち、フラップ部Ｐを引き剥がした後の係合部６に、フラップ部Ｐの第１面Ｓ１を形成する不織布の構成繊維が残存し難くなっており）、結果的に係合部６の係合力が低下し難くなっている。
さらに、本第１実施形態のペット用おむつ１は、第１領域Ａ１における圧搾部面積率が第２領域Ａ２における圧搾部面積率よりも大きくなるように構成されていて、第２領域Ａ２が、相対的に剛性が低く、柔軟であるため、犬などの動物の胴体形状に追従しつつ、上記第１領域Ａ１の係合部６と高い接合強度で係合することができる。
以上より、本第１実施形態のペット用おむつ１は、係合部６の係合力が低下し難く、装着した動物の胴体から外れ難くなっている。
【００３４】
なお、本発明の動物用の吸収性物品において、圧搾部形成領域の配置位置及び圧搾部の形態等は、かかる実施形態の態様のものに限定されず、後述する実施形態のように、圧搾部形成領域７が、上述の係合部６よりも長手方向Ｌの内方側の部分Ｑに位置し且つ係合部６からの長手方向距離ＤＱが係合部６の長手方向長さＤ６以下となる、長手方向Ｌの内方側の係合部周辺領域ＡＱと重複する位置に配置されていてもよく、また、圧搾部形成領域内の圧搾部は、１つ以上形成されていればよい。
上述の圧搾部形成領域７が上述の長手方向Ｌの内方側の部分Ｑの係合部周辺領域ＡＱと重複する位置に配置されていると、当該係合部周辺領域ＡＱが剛性の高い圧搾部７１によって折れ曲がり難くなるため、上述の長手方向Ｌの内方側の部分Ｑが係合部６へ貼り付くのを生じ難くすることができ（すなわち、従来の動物用の吸収性物品における、図１４（ｂ）に示すような事象を生じ難くすることができ）、結果的に係合部６の係合力を低下し難くすることができる。
また、仮に上記係合部周辺領域ＡＱが第１面側Ｄ１に折れ曲がって、上述の内方側の部分Ｑが係合部６に貼り付いたとしても、圧搾部７１の第１面側Ｄ１の表面が、上述のとおり、第１面Ｓ１を形成する不織布の構成繊維が押し固められて繊維密度が高く且つ平滑な面になっているため、係合部６に貼り付いた上述の長手方向Ｌの内方側の部分Ｑが係合部６から剥がれ易く、さらに、当該部分Ｑが係合部６から剥がれる際も、当該部分Ｑの貼り付き面（すなわち、第１面Ｓ１）を形成する不織布の構成繊維が抜け落ち難くなり（すなわち、上述の内方側の部分Ｑを引き剥がした後の係合部６に、上述の内方側の部分Ｑの第１面Ｓ１を形成する不織布の構成繊維が残存し難くなり）、結果的に係合部６の係合力を低下し難くすることができる。
【００３５】
上述の第１実施形態のペット用おむつ１は、次のようにして動物の胴体に装着される。なお、図７は、第１実施形態のペット用おむつ１を、雄犬（本発明における「動物」の一例である。）に装着した状態を示す模式図である。
まず、ペット用おむつ１は、長手方向Ｌが動物の前後方向と交差し（すなわち、幅方向Ｗが動物の前後方向に対応し）且つ吸収体４が動物の排泄部（尿道口）に対向するようにして、動物の腹部にあてがわれる。そして、動物の腹部にあてがわれたペット用おむつ１は、かかる腹部から動物の胴周りに沿って胴体に巻き付けられる。このとき、ペット用おむつ１の第２領域Ａ２が、動物の背部において、第１領域Ａ１の第１面Ｓ１上に重ねられ、第１領域Ａ１の第１面Ｓ１上に配置された係合部６によって係合固定される。このようにして、ペット用おむつ１は、図７に示すように、動物の胴体に装着される。
【００３６】
ここで、本発明の動物用の吸収性物品が適用される「動物」は、腹部に排泄器官を有する四肢動物（四足動物）であれば特に限定されず、上述の第１実施形態のような犬（雄犬）のほか、例えば、牡馬等の様々な動物を対象とすることができる。
【００３７】
また、本発明の動物用の吸収性物品が吸収及び保持する対象の液状排泄物は、特に制限されず、例えば、尿や血液などの液状乃至低粘度の各種体液が挙げられる。
【００３８】
以下、本発明の動物用の吸収性物品を構成する各種部材について、第１実施形態に係るペット用おむつ１等を用いて更に詳細に説明する。
【００３９】
［表面シート］
本発明の第１実施形態に係るペット用おむつ１において、表面シート２は、図３〜図５に示すように、平面視にて、ペット用おむつ１の長手方向Ｌ及び幅方向Ｗに延在する縦長の矩形状の外形形状を有しており、ペット用おむつ１の厚さ方向Ｔにおいて、当該ペット用おむつ１の胴体対向面となる第２面Ｓ２を形成する位置に配置されて、装着対象となる動物から排泄される尿などの液状排泄物を受容する液透過性の不織布によって形成されている。すなわち、本第１実施形態においては、表面シート２は、ペット用おむつ１の第２面Ｓ２を形成する不織布からなる。
【００４０】
なお、本第１実施形態のペット用おむつ１においては、上述の係合部６を有する第１面Ｓ１が胴体非対向面であり、第２面Ｓ２が胴体対向面である（すなわち、第１面Ｓ１を形成する不織布が裏面シート３であり、第２面Ｓ２を形成する不織布が表面シート２である）が、本発明の動物用の吸収性物品においては、このような態様に限定されず、係合部を有する第１面が胴体対向面であり、第２面が胴体非対向面である（すなわち、第１面を形成する不織布が表面シートであり、第２面を形成する不織布が裏面シートである）態様のものでもよい。すなわち、本発明の動物用の吸収性物品が、これらのいずれの態様のものであっても、表面シート及び裏面シートは、それぞれ不織布（より具体的には、第１面を形成する不織布又は第２面を形成する不織布のいずれかの不織布）によって形成されることになる。
【００４１】
本発明において、表面シートに用いる不織布は、動物用の吸収性物品の表面シートとして用い得る諸特性（例えば、液透過性や柔軟性等）を有するものであれば特に制限されず、例えば、スパンレース不織布、エアスルー不織布、スパンボンド不織布、ポイントボンド不織布、メルトブローン不織布、及びこれらの組み合わせ（例えば、ＳＭＳ不織布等）などの任意の不織布を用いることができる。
また、かかる不織布の構造は、特に制限されず、平坦な無孔の不織布のほか、例えば、有孔の不織布、凹凸構造（断面形状が波形となる凹凸構造や畝溝構造等）を有する不織布なども好適に用いることができる。
さらに、不織布の構成繊維の種類も特に制限されず、例えば、セルロース系繊維；親水化処理を施したオレフィン系樹脂やポリエステル系樹脂等の熱可塑性樹脂繊維などの親水性繊維が挙げられ、これらの繊維は単独で用いても、二種類以上の繊維を併用してもよい。
【００４２】
本発明において、表面シートに用いる不織布の外形形状や各種寸法等は、少なくとも吸収体の胴体対向面側の表面を被覆し得るものであれば特に制限されず、装着対象動物の種類や体形、サイズ等に応じた任意の外形形状（例えば、砂時計形、長円形等）や各種寸法等を採用することができる。例えば、表面シートに用いる不織布の厚みは、０．００１ｍｍ〜５．０ｍｍの範囲内の厚みを採用することができるが、液透過性や柔軟性などの点から０．０１ｍｍ〜３．０ｍｍの範囲内の厚みが好ましく、さらに、０．１ｍｍ〜１．０ｍｍの範囲内の厚みがより好ましい。
【００４３】
なお、表面シートに用いる不織布の坪量も、本発明の効果を阻害しない限り特に制限されず、例えば５ｇ／ｍ2〜１００ｇ／ｍ2の範囲内の坪量を採用することができるが、液透過性や柔軟性などの点から６ｇ／ｍ2〜５０ｇ／ｍ2の範囲内の坪量が好ましい。なお、不織布の坪量は、ＪＩＳ  Ｌ  １９０６の５．２に従って測定することができる。
【００４４】
［吸収体］
上述の第１実施形態のペット用おむつ１において、吸収体４は、図２〜図５に示すように、平面視にて、ペット用おむつ１の長手方向Ｌ及び幅方向Ｗに延在する、全体として縦長の矩形状の外形形状を有しており、ペット用おむつ１の厚さ方向Ｔにおいて表面シート２と裏面シート３の間に配置され、表面シート２を透過してきた動物の尿などの液状排泄物を吸収して保持し得る吸水性部材によって形成されている。かかる吸収体４は、図２及び図３に示すように、平面視にて、ペット用おむつ１の幅方向Ｗに延びる長手方向中央軸線ＣＷと長手方向Ｌに延びる幅方向中央軸線ＣＬとが交わる中央部を中心に配置され、長手方向Ｌにおいて、第１領域Ａ１の一部から第２領域Ａ２の一部にわたって延在している。
【００４５】
本発明において、吸収体に用いる吸水性部材は、動物用の吸収性物品の吸収体として用い得る諸特性（例えば、吸水性や液保持性、柔軟性、強度等）を有するものであれば特に制限されず、当分野において公知の任意の吸水性部材を用いることができる。そのような吸水性部材の例としては、パルプ等の吸水性繊維及び／又は高吸収性ポリマー（ＳＡＰ）を含む吸収性材料からなる吸収コアを、少なくとも１枚の親水性を有する液透過性の被覆シート（例えば、ティッシュ等）によって覆ったものなどが挙げられる。
【００４６】
本発明において、吸収体に用いる吸水性部材の外形形状や各種寸法等は、動物から排泄された尿などの液状排泄物を吸収して保持し得るものであれば特に制限されず、装着対象動物の種類や体形、サイズ等に応じた任意の外形形状（例えば、砂時計形、長円形等）や各種寸法等を採用することができる。
【００４７】
なお、吸収体に用いる吸水性部材の厚みや坪量等も、動物用の吸収性物品の吸収体として用い得るものであれば特に制限されず、装着対象動物の種類や体形、サイズ等に応じた任意の厚みや坪量等を採用することができる。
【００４８】
［バックフィルム］
上述の第１実施形態のペット用おむつ１において、バックフィルム３１（本発明における「液不透過性部材」の一例である。）は、平面視にて、ペット用おむつ１の長手方向Ｌ及び幅方向Ｗに延在する縦長の矩形状の外形形状を有していて、図４及び図５に示すように、ペット用おむつ１の厚さ方向Ｔにおいて、吸収体４と裏面シート３との間に配置されて、上述の表面シート２や吸収体４を透過してきた尿などの液状排泄物がペット用おむつ１の外部へ漏出するのを防ぐ、シート状の液不透過性部材によって形成されている。
【００４９】
本発明において、バックフィルムに用いるシート状の液不透過性部材は、動物用の吸収性物品のバックフィルムとして用い得る諸特性（例えば、液不透過性、柔軟性、強度等）を有するものであれば特に制限されず、当分野において公知の任意のシート状の液不透過性部材を用いることができる。そのようなシート状の液不透過性部材の例としては、例えば、液不透過性のプラスチック製フィルム、疎水性の不織布、ＳＭＳ積層不織布、及びこれらのシートを任意に組み合わせた積層シートなどが挙げられる。
【００５０】
本発明において、バックフィルムに用いるシート状の液不透過性部材の外形形状や各種寸法等は、少なくとも吸収体の胴体非対向面側の表面を被覆し得るものであれば特に制限されず、装着対象動物の種類や体形、サイズ等に応じた任意の外形形状や各種寸法等を採用することができる。
【００５１】
なお、動物用の吸収性物品にこのようなバックフィルム（シート状の液不透過性部材）を設けることは、本発明においては必須の構成要件ではないため、液不透過性の裏面シートや吸収体の追加等によって液状排泄物の防漏性が確保されているような場合には、本発明の動物用の吸収性物品は、このようなバックフィルムを備えていなくてもよい。
【００５２】
［裏面シート］
上述の第１実施形態のペット用おむつ１において、裏面シート３は、図２〜図５に示すように、平面視にて、ペット用おむつ１の長手方向Ｌ及び幅方向Ｗに延在する縦長の矩形状の外形形状を有しており、ペット用おむつ１の厚さ方向Ｔにおいて、当該ペット用おむつ１の胴体非対向面となる第１面Ｓ１を形成する位置に配置されて、装着対象となる動物から排泄される尿などの液状排泄物の漏出を防ぐ液不透過性の不織布によって形成されている。すなわち、本第１実施形態においては、裏面シート３は、ペット用おむつ１の第１面Ｓ１を形成する不織布からなる。
【００５３】
本発明において、裏面シートに用いる不織布は、動物用の吸収性物品の裏面シートとして用い得る諸特性（例えば、液不透過性や通気性、柔軟性等）を有するものであれば特に制限されず、例えば、防水処理を施した又は疎水性を有する合成樹脂繊維からなる、ＳＭＳ不織布、スパンボンド不織布、ポイントボンド不織布、メルトブローン不織布、１ｄｔｅｘ以下の繊度を有する極細繊維によって構成された不織布又は極細繊維によって構成された繊維層を含む不織布、加熱又は加圧による高密度化処理が施された不織布などの任意の不織布を用いることができ、さらに、液不透過性のプラスチック製フィルムの少なくとも一方の表面に任意の不織布を積層した不織布積層シートなども用いることができる。
また、かかる不織布の構造は、特に制限されず、平坦な無孔の不織布のほか、例えば、有孔の不織布、所定の凹凸構造（例えば、断面形状が波形となる凹凸構造や畝溝構造等）を有する不織布なども好適に用いることができる。
さらに、不織布の構成繊維の種類も特に制限されず、例えば、ポリエチレン、ポリプロピレン等のオレフィン系樹脂からなる繊維；ポリエチレンテレフタレート等のポリエステル系樹脂からなる繊維；複合繊維などの疎水性を有する熱可塑性樹脂繊維が挙げられ、これらの繊維は単独で用いても、二種類以上の繊維を併用してもよい。
【００５４】
本発明において、裏面シートに用いる不織布の外形形状や各種寸法等は、少なくとも吸収体の胴体非対向面側の表面を被覆し得るものであれば特に制限されず、装着対象動物の種類や体形、サイズ等に応じた任意の外形形状（例えば、砂時計形、長円形等）や各種寸法等を採用することができる。例えば、裏面シートに用いる不織布の厚みは、０．００１ｍｍ〜５．０ｍｍの範囲内の厚みを採用することができるが、液不透過性や柔軟性、通気性などの点から０．００３ｍｍ〜３．０ｍｍの範囲内の厚みが好ましく、さらに、０．０１ｍｍ〜１．０ｍｍの範囲内の厚みがより好ましい。
【００５５】
なお、裏面シートに用いる不織布の坪量も、本発明の効果を阻害しない限り特に制限されず、例えば５ｇ／ｍ2〜１００ｇ／ｍ2の範囲内の坪量を採用することができるが、液透過性や柔軟性などの点から６ｇ／ｍ2〜５０ｇ／ｍ2の範囲内の坪量が好ましい。
【００５６】
［係合部］
上述の第１実施形態のペット用おむつ１において、係合部６は、図２に示すように、上述の第１領域Ａ１の第１面Ｓ１（具体的には、裏面シート３の第１面側Ｄ１の表面）において幅方向Ｗに延在するように配置されており、平面視にて、長手方向Ｌの外方側に位置する長手方向Ｌの一方側端縁６１と、長手方向Ｌの内方側に位置する長手方向Ｌの他方側端縁６２と、幅方向Ｗの一方側に位置する幅方向Ｗの一方側端縁６３と、幅方向Ｗの他方側に位置する幅方向Ｗの他方側端縁６４と、を有する、ペット用おむつ１の幅方向Ｗに長い矩形状の外形形状を有している。
かかる係合部６は、図５に示すように、裏面シート３の第１面側Ｄ１の表面に接合された、ペット用おむつ１の幅方向Ｗに長い帯状の基部６ｂと、該基部６ｂから突出する複数のフック部６ｆとからなるメカニカルファスナーによって構成されていて、かかるメカニカルファスナーは、上述の複数のフック部６ｆが不織布の構成繊維と係合可能であるため、ペット用おむつ１を動物の腹部側から胴周りに沿わせて装着するときに、動物の背部側において、不織布からなる表面シート２の第２面側Ｄ２の表面の任意の部分に、上述のフック部６ｆを係合させることができる。
【００５７】
なお、本明細書において、「係合」とは、所定の構造を有する要素同士が機械的に係わり合うことで繋がり、各要素を所定の力を以て引き離さない限り、その繋がった状態が維持されるような状態を意味する。
【００５８】
本発明において、係合部に用いるメカニカルファスナーは、第２面を形成する不織布の任意の部分と係合し得るものであれば特に制限されず、例えば、平坦なシート状の基部と、該基部から垂直方向に突出する複数のマッシュルーム型の係合突起（すなわち、基部から垂直方向に突出する軸部と、該軸部の先端（具体的には、基部とは反対側の軸部の先端）において該軸部の外周面が拡径する方向に膨らんだ拡径部とを有する係合突起）からなるフック部と、を有するマッシュルーム型ファスナー；平坦なシート状の基部と、該基部から垂直方向に突出する複数のカギ型の係合突起（すなわち、基部から垂直方向に突出する軸部の先端が基部側に向かって折り返された構造を有する係合突起）からなるフック部と、を有するカギ型ファスナーなどを用いることができる。
中でも、マッシュルーム型ファスナーを係合部に用いた場合は、当該係合部が第２面を形成する不織布と係合しているときに、当該不織布と係合している部分が動物の動作等によって様々な方向に引っ張られたとしても、上述のマッシュルーム型の係合突起からなるフック部が、あらゆる方向の力に対応して不織布との係合状態を維持し得るため、係合部と第２面を形成する不織布との係合状態を強固に維持することができ、結果的に、動物用の吸収性物品を動物の胴周りの適正な位置からずれ難くすることができ、また、動物の胴体から外れ難くすることができる。
【００５９】
本発明において、係合部に用いるメカニカルファスナーの構成材料は、特に制限されず、例えば、ポリエステルやポリオレフィン、ポリアミド、ポリ塩化ビニル、オレフィン系エラストマー、ウレタン系エラストマーなどの任意の合成樹脂を用いることができ、これらの合成樹脂は単一種類の樹脂を用いても、二種類以上の樹脂を併用してもよい。
【００６０】
また、上述のとおり、本発明の動物用の吸収性物品は、係合部を有する第１面が胴体対向面であり、第２面が胴体非対向面である（すなわち、第１面を形成する不織布が表面シートであり、第２面を形成する不織布が裏面シートである）態様のものでもよく、このような態様の場合、係合部は、表面シートの第１面側の表面（すなわち、胴体対向面）に配置される。
【００６１】
なお、本発明において、係合部に用いるメカニカルファスナーの外形形状や各種寸法等は、本発明の効果を阻害しない限り特に制限されず、装着対象動物の種類や体形、サイズ等に応じた任意の外形形状（例えば、１又は複数の、正方形、長方形、長円形、菱形等）や各種寸法等を採用することができる。
【００６２】
［圧搾部形成領域］
上述の第１実施形態のペット用おむつ１において、圧搾部形成領域７は、図１、図２、図５及び図６に示すように、平面視にて、上述の係合部６に対して長手方向Ｌの外方側（すなわち、フラップ部Ｐ）に位置し且つ係合部６からの長手方向距離ＤＰが係合部６の長手方向長さＤ６以下となる、長手方向Ｌの外方側の係合部周辺領域ＡＰと重複するように配置されており、ペット用おむつ１の第１面Ｓ１から厚さ方向Ｔに窪む複数の圧搾部７１を有している。
【００６３】
なお、本明細書において、「係合部からの長手方向距離」は、係合部の長手方向における一方側端縁（外方側端縁）を起点として長手方向の外方側の対象位置までの長手方向長さ、或いは、係合部の長手方向における他方側端縁（内方側端縁）を起点として長手方向の内方側の対象位置までの長手方向長さを意味する。
そして、本明細書において、「係合部周辺領域」は、係合部からの長手方向距離が係合部の長手方向長さ以下となる領域を意味し、係合部の長手方向の一方側端縁（外方側端縁）から長手方向の外方側に延在し且つ係合部からの長手方向距離が係合部の長手方向長さ以下となる領域（図２及び図６における、係合部周辺領域ＡＰに相当する領域）、及び係合部の長手方向の他方側端縁（内方側端縁）から長手方向の内方側に延在し且つ係合部からの長手方向距離が係合部の長手方向長さ以下となる領域（図２及び図６における、係合部周辺領域ＡＱに相当する領域）のほか、係合部の幅方向の一方側端縁及び他方側端縁の幅方向の外方側も含まれる。
例えば、動物用の吸収性物品の長手方向における一方側端縁と、係合部の長手方向の一方側端縁との間の長手方向長さが、係合部の長手方向長さ以上である場合（すなわち、フラップ部の長手方向長さが係合部の長手方向長さ以上の場合）、係合部の長手方向の外方側に位置する係合部周辺領域は、係合部の長手方向の一方側端縁から長手方向の外方側に延在し且つ係合部の長手方向の一方側端縁からの長手方向距離が係合部の長手方向長さと同じになる部分までの領域となり、動物用の吸収性物品の長手方向における一方側端縁と、係合部の長手方向の一方側端縁との間の長手方向長さが、係合部の長手方向長さ未満である場合（すなわち、フラップ部の長手方向長さが係合部の長手方向長さ未満の場合）、係合部の長手方向の外方側に位置する係合部周辺領域は、係合部の長手方向の一方側端縁から長手方向の外方側に延在し且つ動物用の吸収性物品の長手方向における一方側端縁までの領域となる。
【００６４】
なお、本発明の動物用の吸収性物品においては、上述のとおり、圧搾部形成領域の配置位置は、第１実施形態の態様のものに限定されず、後述する実施形態のように、圧搾部形成領域７は、係合部６よりも長手方向Ｌの内方側の部分Ｑに位置し且つ係合部６からの長手方向距離ＤＱが係合部６の長手方向長さＤ６以下となる、長手方向Ｌの内方側の係合部周辺領域ＡＱと重複する位置に配置されていてもよい。
【００６５】
本発明の動物用の吸収性物品は、上述のように、第１領域の係合部周辺領域に１又は複数の圧搾部を有していることによって、当該係合部周辺領域を剛性の高い圧搾部によって折れ曲がり難くすることができるため、上述のフラップ部等が係合部に貼り付くのを生じ難くすることができ（すなわち、従来の動物用の吸収性物品における、図１４（ａ）乃至図１４（ｂ）に示すような事象を生じ難くすることができ）、結果的に係合部の係合力を低下し難くすることができる。
【００６６】
なお、本明細書において、「圧搾部形成領域」は、平面視にて、長手方向において最も外方側に位置する圧搾部の長手方向の外方側の端縁を通り且つ幅方向に延びる仮想直線と、長手方向において最も内方側に位置する圧搾部の長手方向の内方側の端縁を通り且つ幅方向に延びる仮想直線と、幅方向の一方側において最も外方側に位置する圧搾部の幅方向の外方側の端縁を通り且つ長手方向に延びる仮想直線と、幅方向の他方側において最も外方側に位置する圧搾部の幅方向の外方側の端縁を通り且つ長手方向に延びる仮想直線との、４本の仮想直線によって囲まれた領域を意味し、上述の第１実施形態においては、圧搾部形成領域７は、図２及び図６に示すように、平面視にて、上記４本の仮想直線と重複する、長手方向Ｌの外方側に位置する長手方向Ｌの一方側端縁７４と、長手方向Ｌの内方側に位置する長手方向Ｌの他方側端縁７５と、幅方向Ｗの一方側に位置する幅方向Ｗの一方側端縁７２と、幅方向Ｗの他方側に位置する幅方向Ｗの他方側端縁７３との、４本の端縁によって囲まれた領域である。
【００６７】
また、上述の第１実施形態において、圧搾部形成領域７内の複数の圧搾部７１は、図５に示すように、それぞれペット用おむつ１の第１面Ｓ１から厚さ方向Ｔに窪むように形成されており、さらに、圧搾部７１の第１面側Ｄ１の表面は、ペット用おむつ１の第１面Ｓ１を形成する不織布（裏面シート３）の構成繊維が押し固められて繊維密度が高く且つ平滑な面になっている。
圧搾部７１がこのように形成されていると、上述のフラップ部Ｐが折れ曲がって係合部６に接触したとしても、第１面Ｓ１から厚さ方向Ｔに窪む圧搾部７１によってフラップ部Ｐの第１面Ｓ１と係合部６との接触面積を低減することができる上、係合部６のフック部６ｆが圧搾部７１の第１面側Ｄ１の表面に係合し難くすることができるため、フラップ部Ｐの第１面Ｓ１を係合部６に貼り付き難くすることができ、さらに、上述のフラップ部Ｐの第１面Ｓ１が係合部６に貼り付いたとしても、上述の圧搾部７１の第１面側Ｄ１の表面形態によって当該圧搾部７１の第１面側Ｄ１の表面の構成繊維と係合部６のフック部６ｆとの係合の接合強度を低減することができるため、係合部６に貼り付いたフラップ部Ｐを係合部６から剥がれ易くすることができるとともに、フラップ部Ｐが係合部６から剥がれる際も、フラップ部Ｐの貼り付き面（すなわち、第１面Ｓ１）を形成する不織布の構成繊維を抜け落ち難くすることができる（すなわち、フラップ部Ｐを引き剥がした後の係合部６に、フラップ部Ｐの第１面Ｓ１を形成する不織布の構成繊維を残存し難くすることができる）。
【００６８】
上述の第１実施形態では、複数の圧搾部７１の各々は、図２及び図６に示すように、平面視にて、略円形のドット状の外形形状を有し、千鳥状の形態で配置されている。複数の圧搾部７１がこのように千鳥状の形態で配置されていると、圧搾部形成領域７において、係合部６と係合し難い圧搾部７１を全体的に均等に配置することができる上、剛性の偏在化も生じ難くなるため、本発明の効果をより有利に発揮することができる。
なお、本発明において、圧搾部の個々の外形形状や配置形態は、本発明の効果を阻害しない限り特に制限されず、圧搾部は、例えば、平面視にて、楕円形状；三角形状；正方形、菱形等の矩形状；十字形状；１本又は複数本の線状（例えば、連続又は非連続の、直線状、波線状、ジグザグ線状等）；１本又は複数本の帯状；各種記号や模様、動植物、各種キャラクター等のデザイン描画状などの任意の外形形状で形成することができ、さらに、格子状、ストライプ状、ランダム状などの任意の形態で配置することができる。
【００６９】
また、本発明において、圧搾部の個数や個々の寸法等は、本発明の効果を阻害しない限り特に制限されず、圧搾部は、１個以上の任意の個数で、任意の寸法で形成することができるが、上述のとおり、第１領域における圧搾部面積率が、第２領域における圧搾部面積率よりも大きくなるように形成することが必要である。
なお、上述の第１実施形態では、ペット用おむつ１の第２領域Ａ２には圧搾部が形成されていないため、当該第２領域Ａ２における圧搾部面積率は０％であるが、本発明においては、このような態様に限定されず、動物用の吸収性物品は、第１領域における圧搾部面積率が第２領域における圧搾部面積率よりも大きくなるものであれば、第１領域以外の第２領域や中央領域にも圧搾部を有していてもよい。
【００７０】
ここで、本明細書において、「圧搾部面積率」は、対象領域（例えば、第１領域、第２領域等）の平面視面積に対する圧搾部の合計平面視面積の割合（％）を意味するものであり、例えば、拡大鏡やマイクロスコープ等の任意の拡大観察手段を用いて測定される個々の圧搾部の平面視面積と個数から、圧搾部の合計平面視面積を算出し、これを別途測定した対象領域の平面視面積で除して１００を乗ずることにより求めることができる。
なお、各領域間の圧搾部面積率の大小関係は、上述の第１実施形態のように目視等で明らかな場合は、目視等により判断することができ、目視等では判断が難しい場合は、上述のように各領域の圧搾部面積率をそれぞれ算出して比較することにより判断することができる。
【００７１】
このように、本発明の動物用の吸収性物品は、第１領域における圧搾部面積率が第２領域における圧搾部面積率よりも大きくなるように構成されていて、第２領域が、相対的に剛性が低く、柔軟であるため、動物の胴体形状に追従しつつ、上記第１領域の係合部と高い接合強度で係合することができる。
【００７２】
また、上述の第１実施形態のペット用おむつ１では、圧搾部形成領域７の幅方向Ｗの一方側端縁７２及び他方側端縁７３の各々が、係合部６の幅方向Ｗの一方側端縁６３及び他方側端縁６４に対して、幅方向Ｗの外方側に位置している、すなわち、圧搾部形成領域７が、係合部６の幅方向長さよりも長い幅方向長さを有している。このように、圧搾部形成領域７が係合部６の幅方向長さよりも長い幅方向長さを有していると、フラップ部Ｐの幅方向Ｗにおけるより広範囲の領域を折れ曲がり難くすることができる上、仮にフラップ部Ｐが折れ曲がったとしても（特に、ペット用おむつ１の幅方向Ｗの端部も折れ曲がるような場合でも）、折れ曲がったフラップ部Ｐが係合部６に貼り付く可能性をより低減することができる。これにより、係合部６の係合力がより低下し難く、装着した動物の胴体からより外れ難くすることができる。
【００７３】
さらに、上述の第１実施形態のペット用おむつ１では、圧搾部形成領域７が、長手方向Ｌにおいて、係合部６の長手方向Ｌにおける一方側端縁６１からペット用おむつ１の長手方向Ｌにおける一方側端縁１１まで延在している。このように、圧搾部形成領域７が、長手方向Ｌにおいて、係合部６の長手方向Ｌにおける一方側端縁６１からペット用おむつ１の長手方向Ｌにおける一方側端縁１１まで延在している、すなわち、圧搾部形成領域７がフラップ部Ｐ全体に延在していると、特にフラップ部Ｐの折れ曲がりを生じ難くすることができる上、仮にフラップ部Ｐが折れ曲がったとしても、その折れ曲がり方によらず、折れ曲がったフラップ部Ｐが係合部６に貼り付く可能性を、より確実に低減することができる。
【００７４】
なお、本発明において、圧搾部の形成手段は、本発明の効果を阻害しない限り特に制限されず、当分野において公知の任意のエンボス加工手段を採用することができる。例えば、第１面を形成する不織布（すなわち、裏面シート又は表面シート）単体、又は少なくとも第１面を形成する不織布とバックフィルムとを含む積層物を、圧搾部形成用の１又は複数の突出部を備えた加熱又は非加熱のエンボス加工手段を用いて、第１面を形成する不織布の第１面側から厚さ方向に圧搾することにより、上述の圧搾部を形成することができる。
【００７５】
本発明の動物用の吸収性物品において、圧搾部形成領域の配置位置や配置形態は、本発明の効果を阻害しないものであれば上述の第１実施形態のものに限定されず、装着対象動物の種類や体形、サイズ等に応じた任意の配置位置や配置形態を採用することができる。
以下に、本発明の動物用の吸収性物品に採用し得る圧搾部形成領域の配置位置や配置形態について、上述の第１実施形態とは異なる別の実施形態（すなわち、第２実施形態〜第４実施形態）を例示しつつ詳細に説明する。なお、以下の第２実施形態〜第４実施形態において、上述の第１実施形態と異なる部分以外の構成については、基本的に第１実施形態と同様の構成を備えているため、説明を省略する。
【００７６】
＜第２実施形態＞
図８は、本発明の第２実施形態に係るペット用おむつ１Ａを展開した状態で第１面側Ｄ１から厚さ方向Ｔに見た平面図である。
本第２実施形態のペット用おむつ１Ａにおいては、図８に示すように、係合部６の長手方向Ｌにおける一方側端縁６１からペット用おむつ１Ａの長手方向Ｌにおける一方側端縁１１までの長さ（すなわち、フラップ部Ｐの長手方向長さ）が、上述の第１実施形態のペット用おむつ１よりも長く形成されていて、圧搾部形成領域７が、係合部６からの長手方向距離が係合部６の長手方向長さ以下となる、長手方向Ｌの外方側の係合部周辺領域ＡＰと重複するように配置され、さらに、長手方向Ｌにおいて、係合部６の長手方向Ｌにおける一方側端縁６１から長手方向Ｌの外方側に向かって延在し且つ係合部６の長手方向長さ（すなわち、係合部６の長手方向Ｌにおける一方側端縁６１と他方側端縁６２との間の長手方向長さ）よりも長い長手方向長さを有するように配置されている。
【００７７】
圧搾部形成領域７がこのような態様で配置されていると、本第２実施形態のようにフラップ部Ｐが長手方向Ｌに長く形成されているような場合でも、フラップ部Ｐの係合部６への貼り付きに影響する部分の折れ曲がりを生じ難くすることができる上、仮にフラップ部Ｐが折れ曲がったとしても、折れ曲がったフラップ部Ｐが係合部６に貼り付く可能性をより確実に低減することができる。
また、本第２実施形態のように、フラップ部Ｐが係合部６の長手方向長さよりも長い長手方向長さを有していると、フラップ部Ｐが係合部６に貼り付いたときに、フラップ部Ｐにおける係合部６の長手方向長さより長い部分を掴み部として、当該掴み部を掴んでフラップ部を容易に引き剥がすことができるため、ペット用おむつ１Ａを動物の胴体に装着する際の手間を掛かり難くすることができるという利点もある。
【００７８】
＜第３実施形態＞
図９は、本発明の第３実施形態に係るペット用おむつ１Ｂを展開した状態で第１面側Ｄ１から厚さ方向Ｔに見た平面図である。
本第３実施形態のペット用おむつ１Ｂにおいては、図９に示すように、圧搾部形成領域７が係合部６よりも長手方向Ｌの内方側の部分Ｑに配置されており、具体的には、圧搾部形成領域７が、係合部６からの長手方向距離ＤＱが係合部６の長手方向長さＤ６以下となる、長手方向Ｌの内方側の係合部周辺領域ＡＱと重複するように配置され、さらに、長手方向Ｌにおいて、係合部６の長手方向Ｌにおける他方側端縁６２から長手方向Ｌの内方側に向かって延在し且つ係合部６の長手方向長さＤ６よりも長い長手方向長さを有するように配置されている。
【００７９】
圧搾部形成領域７が、このような位置に、このような態様で配置されていると、特に係合部６よりも長手方向Ｌの内方側の部分Ｑにおける、係合部６への貼り付きに影響する部分の折れ曲がりを生じ難くすることができる上、仮に係合部６よりも長手方向Ｌの内方側の部分Ｑが折れ曲がったとしても、折れ曲がった部分が係合部６に貼り付く可能性をより確実に低減することができる。すなわち、従来の動物用の吸収性物品における、図１４（ｂ）に示すような事象を、より確実に生じ難くすることができる。
【００８０】
＜第４実施形態＞
図１０は、本発明の第４実施形態に係るペット用おむつ１Ｃを展開した状態で第１面側Ｄ１から厚さ方向Ｔに見た要部拡大平面図である。
本第４実施形態のペット用おむつ１Ｃは、図１０に示すように、第１面Ｓ１を形成する不織布からなる裏面シート３の第２面側Ｄ２の表面と、当該裏面シート３の第２面側Ｄ２に配置された液不透過性部材からなるバックフィルム３１の第１面側Ｄ１の表面とが、複数の接合部９を介して接合されており、さらに、当該複数の接合部９は、上述のフラップ部Ｐに配置された圧搾部形成領域７において、圧搾部７１と平面視にて重ならない非重複部分９１を有している。
なお、本第４実施形態では、複数の接合部９は、図１０に示すように、上述の非重複部分９１のほかに、圧搾部７１と部分的に重なる重複部分９２を有している。
【００８１】
この第４実施形態のように、バックフィルム３１の第１面側Ｄ１の表面と裏面シートの第２面側Ｄ２の表面とを接合する接合部９が、上述の圧搾部形成領域７において、圧搾部７１と平面視にて重ならない非重複部分９１を有していると、当該非重複部分９１によって、圧搾部形成領域７内の隣接する圧搾部７１の間の裏面シート３を浮き上がり難くすることができるため、上述のフラップ部Ｐが折れ曲がって、圧搾部形成領域７が係合部６に近接したとしても、上述の圧搾部７１だけでなく、非重複部分９１も上記係合部６と接触し難くなり、圧搾部形成領域７が係合部６に貼り付く可能性をより低減することができる。
なお、このような作用効果は、圧搾部形成領域７が、係合部６よりも長手方向Ｌの内方側の部分Ｑに配置されていても、同様に奏することができる。
【００８２】
なお、本発明の動物用の吸収性物品において、複数の接合部は、上述の非重複部分を有していれば、圧搾部と部分的に重なる重複部分を有していてもよく、さらに、すべての接合部が非重複部分を有していても、一部の接合部のみが非重複部分を有していてもよい。
【００８３】
また、上述の第４実施形態では、複数の接合部９の各々は、図１０に示すように、平面視にて、略楕円形のドット状の外形形状を有し、千鳥状の形態で配置されている。複数の接合部９がこのように千鳥状の形態で配置されていると、上述の圧搾部形成領域７内において、圧搾部７１と重ならない非重複部分９１を全体的に均等に配置することができるため、上述の第４実施形態のペット用おむつ１Ｃによる効果をより有利に発揮することができる。
本発明において、接合部の個々の外形形状や配置形態は、本発明の効果を阻害しない限り特に制限されず、接合部は、例えば、平面視にて、円形状；三角形状；正方形、菱形等の矩形状；十字形状；１本又は複数本の線状（例えば、連続又は非連続の、直線状、波線状、ジグザグ線状等）；１本又は複数本の帯状；各種記号や模様、動植物、各種キャラクター等のデザイン描画状などの任意の外形形状で形成することができ、さらに、格子状、ストライプ状、スパイラル状、ランダム状などの任意の形態で配置することができる。
【００８４】
なお、本発明において、接合部の個数や個々の寸法等は、本発明の効果を阻害しない限り特に制限されず、所望の接合強度等に応じた任意の個数や個々の寸法等を採用することができる。
【００８５】
本発明において、上述の接合部の形成手段、すなわち、少なくとも液不透過性部材の第１面側の表面と第１面を形成する不織布の第２面側の表面とを接合する接合手段は、本発明の効果を阻害しない限り特に制限されず、当分野において公知の任意の接合手段（例えば、熱融着手段、ホットメルト型接着剤による接着手段等）を採用することができる。
【００８６】
［サイドシート］
次に、本発明の動物用の吸収性物品に用い得るサイドシートについて、上述の第１実施形態のペット用おむつ１を用いて説明する。
上述の第１実施形態に係るペット用おむつ１おいて、一対のサイドシート５、５は、図３及び図４に示すように、表面シート２の胴体対向面側（すなわち、第２面側Ｄ２）に位置し且つペット用おむつ１の幅方向Ｗの両端部の各々において長手方向Ｌに延在するように配置されている。
【００８７】
この一対のサイドシート５、５は、平面視にて、それぞれ長手方向Ｌに長い帯状の疎水性シート部材によって形成されていて、さらに、かかる一対のサイドシート５、５の各々は、図４に示すように、幅方向Ｗの外方側の端部の胴体非対向面側（すなわち、第１面側Ｄ１）の表面が、それぞれ表面シート２及び裏面シート３の胴体対向面側（すなわち、第２面側Ｄ２）の表面に接合されている一方、幅方向Ｗの内方側の端部の胴体非対向面側の表面は、いずれのシート部材（例えば、表面シート２や裏面シート３等）とも接合されていない。
さらに、上述の一対のサイドシート５、５は、図４に示すように、それぞれの幅方向Ｗの内方側の端部が表面シート２側に向かって折り畳まれていて、さらに、その折り畳まれた端部に挟まれるようにして、長手方向Ｌに延びる一対の立体ギャザー形成用弾性部材８２、８２が配置されている。この一対の立体ギャザー形成用弾性部材８２、８２が長手方向Ｌに収縮することによって、一対のサイドシート５、５の幅方向Ｗの内方側の端部（自由端部）が表面シート２側から起立し、図４に示すような立体ギャザーを形成することができる。本第１実施形態のペット用おむつ１は、このような立体ギャザーが防漏壁として機能するため、動物から排泄された尿などの液状排泄物が漏出し難くなっている。
【００８８】
なお、上述の第１実施形態では、図４に示すように、ペット用おむつ１の幅方向Ｗの両端部において、一対のサイドシート５、５と裏面シート３との間に、長手方向Ｌに延びる一対の側部ギャザー形成用弾性部材８１、８１が配置されている。かかる一対の側部ギャザー形成用弾性部材８１、８１については後述する。
【００８９】
本発明において、立体ギャザー形成用弾性部材の本数は、本発明の効果を阻害しない限り特に制限されず、一対のサイドシートの各々に１本ずつ又は２本以上ずつ配置されていてもよいし、いずれか一方のサイドシートのみに、１本又は２本以上配置されていてもよい。
なお、この立体ギャザー形成用弾性部材は、展開した状態の動物用の吸収性物品に対して長手方向の収縮力を付与し得るものであれば特に制限されず、後述する側部ギャザー形成用弾性部材と同様の任意の弾性部材を用いることができる。
【００９０】
本発明において、サイドシートに用いる帯状の疎水性シート部材は、上述の防漏壁として機能し得るものであれば、特に制限されず、例えば、撥水性や疎水性を有する任意の不織布（例えば、スパンレース不織布、スパンボンド不織布、サーマルボンド不織布、メルトブローン不織布、エアスルー不織布等）を帯状に裁断したものなどを用いることができる。さらに、このような不織布の構成繊維も特に制限されず、例えば、オレフィン系樹脂繊維やポリエステル系樹脂繊維、ポリアミド系樹脂繊維等の合成繊維のほか、レーヨンや綿等のセルロース系繊維なども用いることができる。
【００９１】
なお、本発明において、一対のサイドシートの各々の外形形状や各種寸法等は、動物用の吸収性物品のサイドシートとして用い得るものであれば特に制限されず、装着対象動物の種類や体形、サイズ等に応じた任意の外形形状や各種寸法等を採用することができる。
【００９２】
また、動物用の吸収性物品にこのような一対のサイドシートを設けることは、本発明においては必須の構成要件ではないため、他の構成部材等によって液状排泄物の防漏性が確保されているような場合には、本発明の動物用の吸収性物品は、このような一対のサイドシートを備えていなくてもよい。
【００９３】
（側部ギャザー用弾性部材）
上述の第１実施形態のペット用おむつ１において、一対の側部ギャザー形成用弾性部材８１、８１は、図２〜図４に示すように、ペット用おむつ１の幅方向Ｗの両端部の各々において長手方向Ｌに延在するようにして、一対のサイドシート５、５と裏面シート３との間に配置されており、展開した状態のペット用おむつ１に対して長手方向Ｌの収縮力を付与し得る伸縮自在の糸状の弾性部材によって形成されている。
【００９４】
このような側部ギャザー形成用弾性部材８１、８１がペット用おむつ１の幅方向Ｗの両端部に配置されていると、装着時にペット用おむつ１の幅方向Ｗ（すなわち、装着時における動物の前後方向）の両端部を動物の胴周りに沿ってより的確に密着させることができるため、動物から排出される尿などの液状排泄物の漏出をより確実に生じ難くすることができる。
【００９５】
本発明において、側部ギャザー形成用弾性部材として用い得る弾性部材は、展開した状態の動物用の吸収性物品に対して長手方向の収縮力を付与し得るものであれば特に制限されず、例えば、天然ゴムからなる糸ゴム又は平ゴム；ウレタン、エチレン−酢酸ビニル共重合体（ＥＶＡ）等の熱可塑性エラストマーを糸状又は帯状に成形した伸縮性成形体；伸縮性不織布等の伸縮性シート状部材などの任意の弾性部材を用いることができる。
【００９６】
なお、本発明において、側部ギャザー形成用弾性部材の配置形態は、上述の第１実施形態の態様に限定されず、側部ギャザー形成用弾性部材は、装着対象動物の種類や体形、サイズ等に応じて、例えば、動物用の吸収性物品の幅方向における両端部のうちのいずれか一方側の端部のみに１本又は２本以上配置されていてもよく、或いは、動物用の吸収性物品の幅方向における両端部の各々に、２本以上ずつ（すなわち、合計４本以上）配置されていてもよい。
【００９７】
なお、動物用の吸収性物品にこのような側部ギャザー形成用弾性部材を設けることは、本発明においては必須の構成要件ではないため、他の構成部材等によって動物の胴体への密着性や液状排泄物の防漏性が確保されているような場合には、本発明の動物用の吸収性物品は、このような側部ギャザー形成用弾性部材を備えていなくてもよい。
【００９８】
また、本発明の動物用の吸収性物品は、上記の各種構成部材のほかに、当分野において公知の任意の構成部材を備えていてもよい。例えば、本発明の動物用の吸収性物品は、第１面を形成する不織布と第２面を形成する不織布の間に、尿などの液状排泄物を長手方向及び／又は幅方向に拡散し得る拡散性シートを備えていてもよい。
さらに、本発明の動物用の吸収性物品は、係合部周辺領域と重複するように配置される上述の圧搾部形成領域とは別の位置に、当該圧搾部形成領域とは別の圧搾部形成領域を有していてもよい。
以下、このような別の圧搾部形成領域を有する動物用の吸収性物品について、上述の第１実施形態とは異なる本発明の別の実施形態（すなわち、第５実施形態）を例示しつつ詳細に説明する。なお、以下の第５実施形態において、上述の第１実施形態と異なる部分以外の構成については、基本的に第１実施形態と同様の構成を備えているため、説明を省略する。
【００９９】
＜第５実施形態＞
図１１は、本発明の第５実施形態に係るペット用おむつ１Ｄを展開した状態で第１面側Ｄ１から厚さ方向Ｔに見た平面図である。また、図１２（ａ）は、ペット用おむつ１Ｄを第２面Ｓ２が内側となるように第１折線Ｆ１で折り畳んだ状態を示す斜視図であり、図１２（ｂ）は、第１折線Ｆ１で折り畳んだペット用おむつ１Ｄを係合部６が内側となるように第２折線Ｆ２で更に折り畳んだ状態を示す斜視図である。
【０１００】
本第５実施形態のペット用おむつ１Ｄは、図１１及び図１２に示すように、平面視にて、幅方向Ｗに延びる長手方向中央軸線ＣＷと重複し、ペット用おむつ１Ｄを第２面Ｓ２が内側となるように折り畳むための、幅方向Ｗに延びる第１折線Ｆ１と、ペット用おむつ１Ｄの長手方向Ｌにおける一方側端縁１１と第１折線Ｆ１との間、及び、ペット用おむつ１Ｄの長手方向Ｌにおける他方側端縁１２と第１折線Ｆ１との間のそれぞれに位置し、第１折線Ｆ１で折り畳まれたペット用おむつ１Ｄを係合部６が内側となるように更に折り畳むための、幅方向Ｗに延びる２本の第２折線Ｆ２と、を有しており、さらに、かかるペット用おむつ１Ｄは、当該ペット用おむつ１Ｄの長手方向Ｌにおける一方側端縁１１と第１折線Ｆ１との間に位置する第２折線Ｆ２を対象軸として、係合部６と線対称の関係にある領域の第１面Ｓ１に、当該第１面Ｓ１から厚さ方向Ｔに窪む複数の圧搾部７１０を有する内方側圧搾部形成領域７０を更に有している。
【０１０１】
本第５実施形態のペット用おむつ１Ｄは、図１１に示すように、上述の係合部周辺領域ＡＰと重複するように配置される圧搾部形成領域７とは別に、上記第２折線Ｆ２を対象軸として、係合部６と線対称の関係にある領域の第１面Ｓ１に、当該第１面Ｓ１から厚さ方向Ｔに窪む複数の圧搾部７１０を有する内方側圧搾部形成領域７０を更に有しているため、図１２に示すように、複数のペット用おむつ１Ｄを第１折線Ｆ１及び第２折線Ｆ２で折り畳んでパッケージ化するような場合でも、折り畳まれたペット用おむつ１Ｄ内において、上述の係合部６が内方側圧搾部形成領域７０と係合し難くなっており、かかる係合部６の係合力が低下し難くなっている。
【０１０２】
本発明において、上述の内方側圧搾部形成領域は、係合部周辺領域と重複するように配置される圧搾部形成領域と同様の態様で形成することができる。
【０１０３】
なお、上記の各種構成部材を用いて、本発明の動物用の吸収性物品を製造する方法は、特に制限されず、当分野において公知の任意の製造方法を採用することができる。例えば、本発明の第１実施形態に係るペット用おむつ１は、当該ペット用おむつ１を構成する各種部材、すなわち、幅方向Ｗの内方側の端部に立体ギャザー形成用弾性部材８２、８２が配設された一対のサイドシート５、５と、表面シート２と、吸収体４と、バックフィルム３１と、一対の側部ギャザー形成用弾性部材８１、８１と、裏面シート３と、係合部６とを、図２〜図５に示すような配置形態で重ねて、任意の接合手段（例えば、ホットメルト型接着剤による接着法やヒートシール法、超音波接合法等）によって接合するとともに、当該接合の前、接合と同時、又は接合後のいずれかにおいて、圧搾部形成用の複数の突出部を備えた加熱又は非加熱のエンボス加工手段を用いて、裏面シート３の第１面側Ｄ１の表面の所定位置を、第１面側Ｄ１から厚さ方向Ｔに圧搾し、上述の複数の圧搾部７１（すなわち、圧搾部形成領域７）を形成することにより、製造することができる。
【０１０４】
本発明は、上述した各実施形態のペット用おむつのほかに、例えば、ペット用（軽）失禁パッド等の様々な動物用の吸収性物品に適用することができる。また、本発明の動物用の吸収性物品は、上述した各実施形態に制限されることなく、本発明の目的、趣旨を逸脱しない範囲内において、適宜組み合わせや代替、変更等が可能である。なお、本明細書において、「第１」、「第２」等の序数は、当該序数が付された事項を区別するためのものであり、各事項の順序や優先度、重要度等を意味するものではない。
【符号の説明】
【０１０５】
１    ペット用おむつ（動物用の吸収性物品）
２    表面シート（第２面を形成する不織布）
３    裏面シート（第１面を形成する不織布）
３１    バックフィルム（液不透過性部材）
４    吸収体
５    サイドシート
６    係合部
７    圧搾部形成領域
７１    圧搾部
【図１】
2020000182.tif 000003
【図２】
2020000182.tif 000004
【図３】
2020000182.tif 000005
【図４】
2020000182.tif 000006
【図５】
2020000182.tif 000007
【図６】
2020000182.tif 000008
【図７】
2020000182.tif 000009
【図８】
2020000182.tif 000010
【図９】
2020000182.tif 000011
【図１０】
2020000182.tif 000012
【図１１】
2020000182.tif 000013
【図１２】
2020000182.tif 000014
【図１３】
2020000182.tif 000015
【図１４】
2020000182.tif 000016